(57)【要約】【課題】カゴ床面から下の寸法が小さく且つ軽いせり上げ式エレベータカゴ枠装置を得る。【解決手段】せり上げ式エレベータカゴ枠装置は、昇降路内の両側壁にそれぞれガイドレールが立設されるせり上げ式エレベータカゴ枠装置において、カゴ床の前後方向に直交するとともに該前後方向の中心を通る中心線より所定の寸法だけ後ろ寄りに固定される横長状のカゴ下枠と、上記カゴ下枠の両端部の内側に配設される一対の吊り車と、上記カゴ下枠の前側面に配設される非常止め装置と、を備え、上記ガイドレールを、上記非常止め装置に対応するように配設した。【選択図】図１
2012020798.tif 000002
【特許請求の範囲】
【請求項１】
昇降路内の両側壁にそれぞれガイドレールが立設されるせり上げ式エレベータカゴ枠装置において、
カゴ床の前後方向に直交するとともに該前後方向の中心を通る中心線より所定の寸法だけ後ろ寄りに固定される横長状のカゴ下枠と、
上記カゴ下枠の両端部の内側に配設される一対の吊り車と、
上記カゴ下枠の前側面に配設される非常止め装置と、
を備え、
上記ガイドレールを、上記非常止め装置に対応するように配設したことを特徴とするせり上げ式エレベータカゴ枠装置。
【請求項２】
上記非常止め装置に設けた楔状非常止め制動体を作動させる制動体作動アームと、
調速機に掛けられたガバナロープを掴み上記調速機の停止動作により作動する作動レバーと、
を備え、
上記制動体作動アームと上記作動レバーが同一の作動軸に固定されることを特徴とする請求項１に記載のせり上げ式エレベータカゴ枠装置。
【請求項３】
複数の上記ガイドレールと、
上記非常止め装置を連結し共動させる連結装置と、
を備えたことを特徴とする請求項１または２に記載のせり上げ式エレベータカゴ枠装置。
【発明の詳細な説明】
【技術分野】
【０００１】
この発明は、機械室レスエレベータにおいてエレベータカゴが吊り車を介して吊られるせり上げ式エレベータカゴ枠装置に関するものである。
【背景技術】
【０００２】
近年増加している機械室レスエレベータでは、スペースを小さく収められ建屋のスペース効率がよいことから近年売り上げを伸ばしている。また、エレベータにはカゴ床面から下の寸法を更に小さくすることが要求されている。
従来のせり上げ式のエレベータでは、エレベータカゴの重心をバランス良く吊るため、エレベータカゴ枠の下に、吊り車取り付け梁を斜めに交差させて吊る方法が用いられていた（例えば、特許文献１または２参照）。
また、カゴ枠の枠体を少しずらしその横に、吊り車取り付け梁を並べたものが提案されていた。（例えば、特許文献３または４参照）。
【先行技術文献】
【特許文献】
【０００３】
【特許文献１】特開２００１−２４７２７８号公報
【特許文献２】特開２００２−８７７３２号公報
【特許文献３】特開２００１−８０８５２号公報
【特許文献４】特開平３−８６８６号公報
【発明の概要】
【発明が解決しようとする課題】
【０００４】
特許文献１、２に示されたエレベータでは、斜めに吊り車取り付け梁を組み合わせることでエレベータカゴの重心で吊ることができ、ガイドシューに掛かる偏荷重を小さくすることができるが、専用の吊り車取り付け梁が必要で、この吊り車取り付け梁をカゴ枠の下梁に強固に取り付けるための部材が必要であり、上記の要求から床面から下の寸法が大きくなるといった問題があった。又、製作の面からは、斜め部材が多く寸法出しや加工上コストが掛かるといつた問題があつた。
【０００５】
また、特許文献３、４に示されたエレベータでは、床下の高さを低くすることができるが、エレベータカゴの吊りバランスが悪くガイドシューに偏荷重が掛かるなどの問題と、非常時緩衝器にエレベータカゴが落下した場合、吊り車と吊り車取り付け梁の荷重を、カゴ枠で支えるための強度が大きく必要となるため、部材が大きくなるといった問題もあった。
【０００６】
この発明は、前記のような課題を解決するためになされたものであり、カゴ床面から下の寸法が小さく且つ軽いせり上げ式エレベータカゴ枠装置を得ることを目的とする。
【課題を解決するための手段】
【０００７】
この発明に係るせり上げ式エレベータカゴ枠装置は、昇降路内の両側壁にそれぞれガイドレールが立設されるせり上げ式エレベータカゴ枠装置において、カゴ床の前後方向に直交するとともに該前後方向の中心を通る中心線より所定の寸法だけ後ろ寄りに固定される横長状のカゴ下枠と、上記カゴ下枠の両端部の内側に配設される一対の吊り車と、上記カゴ下枠の前側面に配設される非常止め装置と、を備え、上記ガイドレールを、上記非常止め装置に対応するように配設した。
【発明の効果】
【０００８】
この発明に係るせり上げ式エレベータカゴ枠装置は、カゴ床の前後方向に直交するとともに該前後方向の中心を通る中心線より所定の寸法だけ後ろ寄りに固定される横長状のカゴ下枠と、上記カゴ下枠の両端部の内側に配設される一対の吊り車と、上記カゴ下枠の前側面に配設される非常止め装置と、を備え、上記ガイドレールを、上記非常止め装置に対応するように配設し、カゴ床の前側にずらして配設したガイドレールによって昇降するので、エレベータカゴの吊りバランスに偏りが少なく、ガイドシューの磨耗を小さく抑えることが出来るという効果を奏する。
また、カゴ下枠を吊り車取り付け梁として兼用し、非常止め装置をカゴ下枠の側面に取り付けた非常止め装置支持金具によって取り付けられるので、従来のような非常止め装置を収める枠が不要でカゴの軽量化ができるし、装置全体のスペースも小さく納められ、床下の高さ寸法も小さくすることができる。
【図面の簡単な説明】
【０００９】
【図１】この発明の実施の形態１に係るせり上げ式エレベータの基本構成を示す平面図である。
【図２】カゴを想像線で示したカゴ枠の斜視図である。
【図３】カゴ上枠部分の平面図である。
【図４】カゴ下枠と非常止め装置支持金具部分を示す正面図である。
【図５】図４の斜視図である。
【図６】この発明の実施の形態２に係るせり上げ式エレベータの基本構成を示す平面図である。
【図７】３本のガイドレールを配置する例を示す図である。
【図８】この発明の実施の形態３に係るせり上げ式エレベータの基本構成を示す平面図である。
【発明を実施するための形態】
【００１０】
以下、本発明のせり上げ式エレベータカゴ枠装置の好適な実施の形態につき図面を用いて説明する。
実施の形態１．
図１は、この発明の実施の形態１に係るせり上げ式エレベータの基本構成を示す平面図である。図１では、エレベータカゴ１と吊り車１２と巻き上げロープ１１とカゴ床２を示す。図２は、エレベータカゴ１を想像線で示したカゴ枠の斜視図である。図３は、カゴ上枠４の平面図である。図４は、カゴ枠下枠と非常止め装置支持金具部分を示す正面図である。図５は、図４の斜視図である。
【００１１】
エレベータカゴ１は、巻き上げロープ１１により吊り上げられ、昇降路の両側壁に立設した一対のガイドレール１３に案内されて昇降する。
また、エレベータカゴ１は、カゴ枠柱３と、カゴ上枠４と、横長状（例えば角パイプ形状）のカゴ下枠５とから構成されるカゴ枠内に配置される。
エレベータカゴ１のカゴ床２は、カゴ下枠５上に固定され、カゴ下枠５は、カゴ床２の前後方向（エレベータカゴ１の昇降口を開閉する扉に対して直交する方向）に直交するとともに前後方向の中心を通る中心線より約カゴ下枠５の幅の半分位後ろ寄りに固定される。
【００１２】
カゴ下枠５の前後の側面の両縁部にせり上げ吊り車１２の軸１２ａがそれぞれ回転自在に支持されている。そして、巻き上げロープ１１は、図示しない巻上げ機から下に向かって延び、一方のせり上げ吊り車１２に掛けられ、カゴ下枠５の中を水平に延び、他方のせり上げ吊り車１２に掛けられ、上方に延びる。
【００１３】
一対のガイドレール１３は、カゴ床２の前後方向の上記中心線より約非常止め装置６の幅の半分位前寄りに配置される。すなわち、カゴ床２の前後方向の上記中心線とカゴ下枠５の前側面が略一致する位置がエレベータカゴ１の重心を通過する。
カゴ下枠５の上側面の両端にカゴ枠取付金具５ｂが固定され、カゴ下枠５の上記前側面に両縁部に点検口５ｃが空けられている。
カゴ側緩衝器のあて板９ｂをカゴ下枠５の上記重心の位置に配置する。また、あて板９ｂの真下のピッチ上に緩衝器９ａが配置されている。
【００１４】
２つの非常止め装置６は、カゴ下枠５の上記前側面の両縁部にそれぞれ配置され、エレベータカゴ１の動きを止める。
非常止め装置６は、下がった位置にあるときにはガイドレール１３の近傍に位置するとともに上がった位置にあるときにはガイドレール１３を締め付ける上方に突出た２つの楔状非常止め制動体６ａと、楔状非常止め制動体６ａの側面と対向する押圧体６ｂと、楔状非常止め制動体６ａを押圧体６ｂの側面に沿って転動するローラ６ｃと、カゴ下枠５の上記前側面に固定される非常止め支持金具６ｅと、非常止め支持金具６ｅの両側面に回転支持される作動軸７ａと、作動軸７ａに固定されるともに先端が楔状非常止め制動体６ａの下端に回転自在に支持される作動アーム６ｄと、から構成される。
【００１５】
また、２つの非常止め装置６の作動軸７ａを連動する連結棒１５が作動軸７ａにリンク機構を介して取り付けられている。
また、一方の非常止め装置６の作動軸７ａには作動レバー７が固定され、作動レバー７の先端はロープ掴み部７ｂが固定され、ロープ掴み部７ｂにより調速機ロープ８を掴んでいる。
非常止め支持金具６ｅの下部にガイドシュー１０ｂが固定されている。
【００１６】
カゴ上枠４は、４辺が角パイプで構成される四方枠であり、エレベータカゴ１の扉の角パイプには戸開装置桁４ａが固定されている。また、カゴ上枠４のカゴ床２の前後方向に平行な角パイプにはカゴ枠柱３を固定する取付金具４ｂと、ガイドシュー１０ａとが固定されている。
【００１７】
非常止め装置６の動作を説明する。エレベータカゴ１の下降速度が非常に大きくなると調速機１６により調速機ロープ８の走行が停止されるので、作動レバー７の先端が上方に移動する。すると、作動軸７ａが回動し、作動軸７ａに固定されている作動アーム６ｄの先端が上方に移動する。作動アーム６ｄの先端が上方に移動するとそれに連なる楔状非常止め制動体６ａが上方に移動し、楔状非常止め制動体６ａが上方に移動すると楔状非常止め制動体６ａが相対する隙間が狭くなり、ガイドレール１３を締め付ける。
【００１８】
この発明の実施の形態１に係るせり上げ式エレベータカゴ枠装置は、カゴ床２の前後方向に直交するとともに該前後方向の中心を通る中心線より所定の寸法だけ後ろ寄りに固定される横長状のカゴ下枠５と、カゴ下枠５の両端部の内側に配設される一対の吊り車１２と、カゴ下枠５の前側面に配設される非常止め装置６と、を備えるので、中心線を中心として前後に巻き上げロープ１１と非常止め装置６とが配置され、エレベータカゴ１の吊りバランスの偏りが少なくなり、ガイドシュー１０ａ、１０ｂの磨耗を小さく抑えることが出来る。
【００１９】
また、カゴ下枠５を吊り車取り付け梁として兼用し、非常止め装置６はカゴ下枠５の前側面に取り付けた非常止め装置支持金具６ｅによって取り付けられるので、従来のように非常止め装置６を収める枠が不要でカゴの軽量化ができる。
また、せり上げ吊り車１２、巻き上げロープ１１、非常止め装置６をスペースも小さく納められ、床下の高さ寸法も小さくすることができる。
【００２０】
この発明の実施の形態１に係るせり上げ式エレベータカゴ枠装置では、楔状非常止め制動体６ａを用いた例を説明したが、馬蹄形ばね式非常止め装置を採用しても良い。
また、ガイドレール１３、非常止め装置６およびガイドシュー１０ａ、１０ｂをカゴ床２の中心線より手前側に配置した例を説明したが、これらをカゴ床２の中心線より奥行側に配置しても良い。
【００２１】
実施の形態２．
図６は、この発明の実施の形態２に係るせり上げ式エレベータカゴ枠装置の基本構成を示す平面図である。
この発明の実施の形態２に係るせり上げ式エレベータカゴ枠装置は、ガイドレール１３を３本にして、それぞれのガイドレール１３に対し非常止め装置６とガイドシュー１０ｂを備える。
２個の非常止め装置６は、カゴ下枠５の前側面側に配置するとともに、１個の非常止め装置６は、カゴ下枠５の後側面側に配置される。
カゴ下枠５の前後側面に配置された非常止め装置６の非常止め作動軸７ａを一体化する。連結棒１５により３個の非常止め作動軸７ａが同時に回動して、３個の非常止め装置６が作動する。
なお、図示は省略したが、カゴ上枠４に取り付けるガイドシュー１０ａはカゴ上枠４の後側面側に配置された非常止め装置６の真上に位置する。
この場合はエレベータカゴの重心位置を吊り車１２とカゴ枠の中心に合わせるのが望ましい。
【００２２】
この発明の実施の形態２に係るせり上げ式エレベータカゴ枠装置は、カゴ床２の前後方向に直交するとともに該前後方向の中心を通る中心線より所定の寸法だけ後ろ寄りに固定される横長状のカゴ下枠５と、カゴ下枠５の両端部の内側に配設される一対の吊り車１２と、カゴ下枠５の前側面に配設される２個の非常止め装置６と、カゴ下枠５の後側面に配設される１個の非常止め装置６と、を備えるので、中心線を中心として前後に巻き上げロープ１１と非常止め装置６とが配置され、エレベータカゴ１の吊りバランスの偏りが少なくなり、ガイドシュー１０ａ、１０ｂの磨耗を小さく抑えることが出来る。
【００２３】
なお、３本のガイドレール１３を図７（ａ）のように、１本のガイドレールがエレベータカゴ１の側壁に直交し、２本のガイドレールがエレベータカゴ１の側壁に並行し且つ互いに対向するように配置しても良い。
また、図７（ｂ）のように、２本のガイドレール１３は実施の形態１のように配置し、残りの１本をエレベータカゴ１の奥壁に直交するように配置しても良い。
【００２４】
実施の形態３．
図８は、この発明の実施の形態３に係るせり上げ式エレベータカゴ枠装置の基本構成を示す平面図である。
この発明の実施の形態３に係るせり上げ式エレベータカゴ枠装置は、ガイドレール１３を４本にして、それぞれのガイドレール１３に対し非常止め装置６とガイドシュー１０ｂを備える。
２個の非常止め装置６は、カゴ下枠５の前側面側に配置するとともに、２個の非常止め装置６は、カゴ下枠５の後側面側に配置される。
カゴ下枠５の前後側面に配置された非常止め装置６の非常止め作動軸７ａを一体化する。連結棒１５により４個の非常止め作動軸７ａが同時に回動して、４個の非常止め装置６が作動する。
【００２５】
この発明の実施の形態３に係るせり上げ式エレベータカゴ枠装置は、カゴ床２の前後方向に直交するとともに該前後方向の中心を通る中心線より所定の寸法だけ後ろ寄りに固定される横長状のカゴ下枠５と、カゴ下枠５の両端部の内側に配設される一対の吊り車１２と、カゴ下枠５の前側面に配設される２個の非常止め装置６と、カゴ下枠５の後側面に配設される２個の非常止め装置６と、を備えるので、中心線を中心として前後に巻き上げロープ１１と非常止め装置６とが配置され、エレベータカゴ１の吊りバランスの偏りが少なくなり、ガイドシュー１０ａ、１０ｂの磨耗を小さく抑えることが出来る。
【符号の説明】
【００２６】
１  エレベータカゴ、２  カゴ床、３  カゴ枠柱、４  カゴ上枠、４ａ  戸開装置桁、４ｂ  取付金具、５  カゴ下枠、５ａ  切り欠き部、５ｂ  カゴ枠取付金具、５ｃ  点検口、６  非常止め装置、６ａ  楔状非常止め制動体、６ｂ  押圧体、６ｃ  ローラ、６ｄ  作動アーム、６ｅ  非常止め支持金具、７  作動レバー、７ａ  作動軸、７ｂ  ロープ掴み部、８  調速機ロープ、９ａ  緩衝器、９ｂ  当て板、１０ａ、１０ｂ  ガイドシュー、１１  巻き上げロープ、１２  吊り車、１２ａ  軸、１３  ガイドレール、１５  連結棒、１６  調速機。
【図１】
2012020798.tif 000003
【図２】
2012020798.tif 000004
【図３】
2012020798.tif 000005
【図４】
2012020798.tif 000006
【図５】
2012020798.tif 000007
【図６】
2012020798.tif 000008
【図７】
2012020798.tif 000009
【図８】
2012020798.tif 000010